【手続補正書】
【提出日】平成18年1月20日(2006.1.20)
【手続補正１】
【補正対象書類名】明細書
【補正対象項目名】発明の名称
【補正方法】変更
【補正の内容】
【発明の名称】センサー装置
【手続補正２】
【補正対象書類名】明細書
【補正対象項目名】特許請求の範囲
【補正方法】変更
【補正の内容】
【特許請求の範囲】
【請求項１】外界からの光を受光して焦点調節情報を得る為に一定の基線長を隔てて配置された、測距センサーを成す一対の第１と第２のラインセンサーと、
前記第１と第２のラインセンサーの間に、外界からの光を受光して対象物の輝度を測定する為の測光センサーとを有し、
前記各センサーが同一面上に配置されて形成されるセンサー装置において、
前記一対の第１と第２のラインセンサーの各センサー中心を結ぶ線上に対して前記測光センサーのセンサー中心をずらして配置したことを特徴とするセンサー装置。
【請求項２】外界からの光を受光して焦点調節情報を得る為に一定の基線長を隔てて配置された、測距センサーを成す一対の第１と第２のラインセンサーと、
前記第１と第２のラインセンサーの間に、外界からの光を受光して対象物の輝度を測定する為の測光センサーと、
前記第１と第２のラインセンサーに外界からの光を導く一対の第１、第２の光学系と、前記測光センサーに外界からの光を導く第３の光学系とを有し、
前記各センサーが同一面上に配置されて形成されるセンサー装置において、
前記一対の第１、第２の光学系の光軸中心に対して前記第３の光学系の光軸中心を、前記一対の第１と第２のラインセンサーの前記基線長方向と垂直方向にずらして配置したことを特徴とするセンサー装置。
【請求項３】前記第１と第２のラインセンサーの各画素からの信号の処理を行う信号処理手段を有し、該信号処理手段を、前記第１と第２のラインセンサー、前記測光センサーのうちの少なくとも前記第１と第２のラインセンサーに対して、前記基線長方向と垂直な方向に並置したことを特徴とする請求項１または２に記載のセンサー装置。
【請求項４】前記一対の第１および第２の光学系と前記第３の光学系の焦点距離を異ならせていることを特徴とする請求項２に記載のセンサー装置。
【請求項５】前記一対の第１、第２の光学系は、外界の光を前記一対の第１と第２のラインセンサー上に結像させるものであり、前記第３の光学系は、外界の光を前記測光センサーに集光させるものであることを特徴とする請求項２または４に記載のセンサー装置。
【請求項６】同一の半導体チップ上に被写体からの光を受光するために基線長を隔てて配置された、焦点調節情報を得るための一対の第１と第２のラインセンサーと、
前記半導体チップ上の前記第１と第２のラインセンサーの間に、被写体からの光を受光して被写体の輝度を測定するための測光センサーと、
前記各センサーにそれぞれ被写体からの光を結像、あるいは集光する第１、第２および第３の光学手段とを有するセンサー装置において、
前記一対の第１、第２のラインセンサーと前記測光センサーは、基線長方向と垂直な方向にオフセットして配置されるとともに、前記光学手段の光軸は、前記センサーのオフセット分に対応して配置されたことを特徴とするセンサー装置。
【請求項７】前記第１、第２のラインセンサーと、該第１、第２のラインセンサーの各画素の信号を電圧に変換して処理するための信号処理手段とを有し、前記基線長方向と垂直な方向の前記測光センサーのセンサーサイズを、前記第１、第２のラインセンサーと前記信号処理手段の基線長方向と垂直な方向のサイズよりも小さくしたことを特徴とする請求項６に記載のセンサー装置。
【請求項８】前記第１および第２の光学手段と第３の光学手段の焦点距離を異ならしめたことを特徴とする請求項６に記載のセンサー装置。
【請求項９】前記第１、第２の光学手段の焦点距離位置は、前記第１、第２のラインセンサーが配置される位置に一致し、前記第３の光学手段の焦点距離位置は、前記測光センサーが配置される位置の前、あるいは後ろにあることを特徴とする請求項８に記載のセンサー装置。
【手続補正３】
【補正対象書類名】明細書
【補正対象項目名】０００１
【補正方法】変更
【補正の内容】
【０００１】
【発明の属する技術分野】本発明は、レンズシャッタカメラなどに好適なセンサー装置の改良に関するものである。
【手続補正４】
【補正対象書類名】明細書
【補正対象項目名】０００９
【補正方法】変更
【補正の内容】
【０００９】
（発明の目的）本発明の目的は、測距及び測光用のセンサー装置が形成される基板のサイズを小さくすることのできるセンサー装置を提供しようとするものである。
【手続補正５】
【補正対象書類名】明細書
【補正対象項目名】００１０
【補正方法】変更
【補正の内容】
【００１０】
【課題を解決するための手段】上記目的を達成するために、本発明は、外界からの光を受光して焦点調節情報を得る為に一定の基線長を隔てて配置された、測距センサーを成す一対の第１と第２のラインセンサーと、前記第１と第２のラインセンサーの間に、外界からの光を受光して対象物の輝度を測定する為の測光センサーとを有し、前記各センサーが同一面上に配置されて形成されるセンサー装置において、前記一対の第１と第２のラインセンサーの各センサー中心を結ぶ線上に対して前記測光センサーのセンサー中心をずらして配置したセンサー装置とするものである。
また、本発明は、外界からの光を受光して焦点調節情報を得る為に一定の基線長を隔てて配置された、測距センサーを成す一対の第１と第２のラインセンサーと、前記第１と第２のラインセンサーの間に、外界からの光を受光して対象物の輝度を測定する為の測光センサーと、前記第１と第２のラインセンサーに外界からの光を導く一対の第１、第２の光学系と、前記測光センサーに外界からの光を導く第３の光学系とを有し、前記各センサーが同一面上に配置されて形成されるセンサー装置において、前記一対の第１、第２の光学系の光軸中心に対して前記第３の光学系の光軸中心を、前記一対の第１と第２のラインセンサーの前記基線長方向と垂直方向にずらして配置したセンサー装置とするものである。
また、本発明は、同一の半導体チップ上に被写体からの光を受光するために基線長を隔てて配置された、焦点調節情報を得るための一対の第１と第２のラインセンサーと、前記半導体チップ上の前記第１と第２のラインセンサーの間に、被写体からの光を受光して被写体の輝度を測定するための測光センサーと、前記各センサーにそれぞれ被写体からの光を結像、あるいは集光する第１、第２および第３の光学手段とを有するセンサー装置において、前記一対の第１、第２のラインセンサーと前記測光センサーが、基線長方向と垂直な方向にオフセットして配置されるとともに、前記光学手段の光軸が、前記センサーのオフセット分に対応して配置されたセンサー装置とするものである。
【手続補正６】
【補正対象書類名】明細書
【補正対象項目名】００２１
【補正方法】変更
【補正の内容】
【００２１】
同図において、８ａ，８ｂは結像レンズであり、該結像レンズ８ａ，８ｂによりラインセンサー１ａ，１ｂに対してそれぞれ被写体からの反射光が結像される。９は測光センサー５に対して撮影画面からの反射光を集光するための集光レンズである。なお、上記の結像レンズ、集光レンズの呼び名の使い分けについては後述する。また、結像レンズ８ａ，８ｂ、集光レンズ９内に示した十字はそれぞれのレンズの光軸中心を示しており、各レンズの光軸中心は、前述のラインセンサー１ａ，１ｂと測光センサー５の基線長方向と垂直な方向のずれ（オフセット）に対応して、同じ関係となるようにずらしている（オフセットしている）。つまり、測光用の集光レンズ９の光軸中心に対して、測距用の結像レンズ８ａ，８ｂの各光軸中心を、基線長方向と垂直な方向(この例では、上の方向)に距離ｄだけずれるように配置されている。
【手続補正７】
【補正対象書類名】明細書
【補正対象項目名】００４１
【補正方法】変更
【補正の内容】
【００４１】
【発明の効果】以上説明したように、本発明によれば、測距及び測光用のセンサー装置が形成される基板のサイズを小さくすることができるセンサー装置を提供できるものである。
【手続補正８】
【補正対象書類名】図面
【補正対象項目名】図４
【補正方法】変更
【補正の内容】
【図４】
2004226678.tif 000001
【手続補正９】
【補正対象書類名】図面
【補正対象項目名】図７
【補正方法】変更
【補正の内容】
【図７】
2004226678.tif 000002